(57)【要約】【課題】浮遊する微細な泥が、この河川に設けられた樋門、水門等の前面に堆積して機能を阻害する等の問題を自然エネルギーのみを利用して除去する装置を提供する。【解決手段】貯水タンク内外の取水、放水の為のバルブ等及び、放水時期をコントロールする機構を出来る限り簡素化し、且つ、タンク内部に気泡を発生させ貯水を攪拌・曝気して浮泥を沈澱させることなくそのまま放水し、よって水門、樋門等の前面に堆積した泥土を流し作澪して除去することを、干満による自然エネルギーのみを利用して継続的に行なえる装置である。【選択図】        図２
2004332213.tif 000002
【特許請求の範囲】
【請求項１】
干満差を利用して満潮時に上部を密閉したタンクに取水し、この時上部に設けた空気抜き逆止弁より内部の空気を逃し、引き潮時空気抜き逆止弁が閉じることにより貯水して、干潮時に放水することにより、浮泥の堆積を除去する装置
【請求項２】
タンク上部に設けた空気抜き逆止弁と取水口の逆支弁、放水を開始する干潮時の水位高さに設けられたフロート弁付の空気取入口及び逆止フラップ弁付の吐出口の構造で満潮時にタンクに貯水し、干潮時に放水することを特徴とする請求項１に記載した浮泥の堆積を除去する装置
【請求項３】
フロート弁付空気取り入れ口の設置高さを変えることにより、干満による水位とタンク内の貯水水位の差をによる放水の開始時期を任意に設定しうることを特徴とする請求項１及び２に記載の浮泥の堆積を除去する装置
【請求項４】
請求項１、２および３に記載の浮泥の堆積を除去する装置であって、吐出する水によりタンク内に吸引される空気を多数の細孔を持つパイプに導き細気泡をタンク内に噴出させタンク内の貯水を攪拌・曝気することを特徴とする浮泥の堆積を除去する装置
【請求項５】
請求項１、２、３および４に記載の浮泥の堆積を除去する装置であって、取水口の設置高さを小潮時の満潮潮高直下に設置し且つタンク内の底面近くまでパイプにより取水を導く事によりその落差で、取水パイプ先端に取り付けた逆止弁を自動洗浄することを特徴とする浮泥の堆積を除去する装置
【発明の詳細な説明】
【０００１】
【発明が属する技術分野】
本発明は、干満差による自然エネルギーのみを使い、河川等で浮泥が堆積し易い場所で満潮時にタンク内に貯水した水を干潮時に自動的に放水することにより堆積浮泥を除去する装置に関する物である。
【０００２】
【従来の技術】
干満差が大きい海に注ぐ河川等の汽水域において浮遊する微細な泥が、この河川に設けられた樋門、水門等の前面に堆積して機能を阻害する等の問題が生じ、定期的にこの堆積浮泥を除去する必要があるが、周辺は超軟弱地盤の為、浚渫用の重機が進入できず、また人力でも立ち入ることさえ困難な柔らかい土質であり作業がままならない。
【０００３】
ポンプ等で放水しこれを除去する方法もあるが、採水可能範囲にある周辺の水は浮泥を含んだ所謂泥水で、ポンプ内、バルブ等に、この泥が堆積し、常時継続的な作業は困難である。
【０００４】
また、この様な浮泥堆積の問題を抱える樋門、水門等の設置してある場所は、電力等外部動力の供給がない場所も多く、小規模な物では浚渫等の浮泥除去作業さえ困難なほど狭い場所にある場合もある。
【０００５】
この改善策として、例えば、実用新案登録３０２８４１７号には、河川の上水を取水するタンクと貯水タンク及びフロート室と内部のフロートとこれにリンクしたバルブ等によって干満差により上水のみを貯水し、これを放水して浮泥除去を行なう浮泥粘土堆積防止のための無動力掃流装置が開示されている。
【０００６】
【発明が解決しようとする課題】
しかしながら、浮泥堆積の問題を抱える河川は上水といえども高濃度の泥分が浮遊している為、上水のみを取水し、貯水してもタンク内に浮泥が沈澱するのは免れず、フロートバルブ等の複雑な内部構造は作動に障害が出ることが多い。本発明は貯水タンク内外の取水、放水の為のバルブ等及び、放水時期をコントロールする機構を出来る限り簡素化し、且つ、タンク内部に気泡を発生させ貯水を攪拌・曝気して浮泥を沈澱させることなくそのまま放水し、よって水門、樋門等の前面に堆積した泥土を流し作澪して除去することを、干満による自然エネルギーのみを利用して継続的に行なえる装置及び方法を提供することを目的とする。
【０００７】
【課題を解決するための手段】
前記目的に沿う第１の発明に係る干満差を利用した堆積浮泥の除去装置は、概ね本装置設置場所の最大干満差程度の高さをもつタンクであり、満ち潮時に下部に設けられた取水口より流入した水を貯水し、又この時密閉されたタンク内の空気は上部に設けられた空気抜き逆止弁からスムースに抜け水の流入を妨げない。また、第２の発明に係る干満差を利用した堆積浮泥の除去装置は第１の発明に係る干満差を利用した堆積浮泥の除去装置において、逆止弁付取水口より流入した水を、引き潮時外部の水位が下がっても、上部に設けられた空気抜き逆止弁が閉じ気密密閉されることによりタンク内に留める。またさらに潮位が下がりフロートバルブ付空気取入口が水面より出た時点で空気が、タンク内に入り気密密閉状態を解消し、タンク最底部にある吐出口より放水が開始される。第３の発明に係る干満差を利用した堆積浮泥の除去装置は、第１、第２の発明に係る干満差を利用した堆積浮泥の除去装置においてフロートバルブ付空気取入口の取り付け高さを変えることによりタンク内の水を放水する時期を換えうる構造である。
【０００８】
そして、第４の発明に係る干満差を利用した堆積浮泥の除去装置は、第１〜第３の発明に係る干満差を利用した堆積浮泥の除去装置においてフロートバルブ付空気取入口が水面上に出ることにより、タンク内の気密水密状態を解消すべく取り入れられた空気を、タンク内に設けた多数の細孔を持つパイプに導き細気泡として勢い良く噴出させタンク内の浮泥を含んだ貯水を攪拌・曝気して浮泥をタンク内に沈澱・堆積させることなく放水する構造である。また、第５の発明に係る干満差を利用した堆積浮泥の除去装置は、第１〜第４の発明に係る干満差を利用した堆積浮泥の除去装置において満ち潮時に取水する際にも、取水口を本装置設置場所の小潮時の満潮潮高直下に設け小潮時でも取水が可能とした上で、タンク底面近くまでパイプにより取水した水を導くことにより、その落差によりパイプ先端に取り付けた逆止弁内を攪拌・洗浄することによりこの弁内にも浮泥が堆積することを防ぐ構造である。
【０００９】
【発明の実施の形態】
続いて、添付した図面を参照しつつ、本発明を具体化した実施の形態につき説明し、本発明の理解に供する。
図１は、本発明装置の１実施例の全体外形図であって、１〜６は、図２と同様である。また、７はタンク内の点検用の水密ハッチである。
【００１０】
１はタンク本体であり、８の点線により示している最高潮時の満潮潮位程度の高さとして最大の貯水量を得ることを好適とするが、場合により２の空気抜き逆止弁のみ最高潮時の満潮潮位高さまで延長しタンクを低くすることも可能である。幅、長さ等は設置場所の状況、必要貯水量により任意である。
【００１１】
タンク本体の材質は、強度、経済性を考慮して鋼製が好適であるが、汽水域での使用という条件を考慮して、タンク内外を重防蝕塗料を施す必要がある。また２の空気抜き逆止弁により貯水を制御する為、タンク本体は水密・気密を保ちうる強度・構造である。
【００１２】
図２は本発明装置の１実施例の略断面図であり内部構造を示す。
【００１３】
３の取水口は９の点線により示す小潮時の満潮潮位高さの直下に設け、小潮時でも取水可能とし、パイプによりタンク底部に近い低い位置に設けた１０の逆止弁まで取水を導き、その落差による流速で１０の逆止弁を洗浄し、浮泥の堆積による作動不良を防止する。取水された水により圧縮される空気は、２の空気抜き逆止弁の玉弁を押し上げスムースに放出され取水を妨げない。
【００１４】
満潮時まで取水し、タンク内に貯水された水は、引潮になりタンク外の水位が下がっても、２の空気抜き逆止弁の玉弁がタンク内の貯水の水圧による負圧により、しっかりと閉じられ気密となり、満水のまま保たれる。さらにタンク外水位が下がり、３の取水口以下の潮位になっても、逆止弁１０はタンク内の水圧により閉じられたままなので、引続きタンク内の満水状態は保たれる。
【００１５】
干潮間際に至り、潮位が４のフロートバルブ付空気取入口に取り付けた１１のフロートバルブまで下がったとき、このフロートバルブの浮力を持った玉弁が下がり、空気がタンク内に流入し、５の吐出口より水の吐出が始まる。このとき流入した空気は、細孔を多数穿った細孔管１２を経てタンク内の貯水中に細気泡となって勢い良く噴出し、貯水を攪拌し浮泥の沈澱・堆積を防止し、浮泥はタンク内に堆積することなく吐水と共に吐水口より排出される。
【００１６】
したがって、この４のフロートバルブ付空気取入口及び１２の細孔管の取り付け高さを上下することにより吐出口５よりの放水の開始時期を任意の低潮時期にすることが出来、又吐出口５の出口口径を換える事により、放水の継続時間を設定することが出来る。
【００１７】
【発明の効果】
以上説明したように本発明の干満差を利用した堆積浮泥除去装置は高濃度の浮泥を、貯水タンク内に堆積させることなく、干満差により取水・貯水し干潮時にこれを放水して、作澪することにより樋門・水門等の前面に堆積する浮泥を自然エネルギーのみで、継続的に除去する装置である。
【図面の簡単な説明】
【図１】干満差を利用した堆積浮泥除去装置の実施方法を示した全体外形図である。（実施例１）
【図２】干満差を利用した堆積浮泥除去装置の実施方法を示した略断面図であり内部構造を示した図である。（実施例１）
【符号の説明】
１    タンク本体
２    空気抜き逆止弁
３    取水口
４    フロートバルブ付空気取入口
５    吐出口
６    観察点検用耐圧窓
７    点検用水密ハッチ
８    最高潮時の満潮潮位高さ
９    小潮時の満潮潮位高さ
１０    逆止弁
１１    フロートバルブ
【図１】
2004332213.tif 000003
【図２】
2004332213.tif 000004